(57)【要約】【課題】透光により装飾効果が高められるとともに、表裏の装飾の模様が重なることのない装飾パネルを提供すること。【解決手段】装飾パネル１は、透光性を有するポリカーボネート板２、表面３ａに装飾模様３ｃが描かれ、ポリカーボネート板２の第１面２ａに裏面３ｂを当接して積層される第１メッシュスクリーン３、表面４ａに装飾模様４ｃが描かれ、ポリカーボネート板２の第２面２ｂに裏面４ｂを当接して積層される第２メッシュスクリーン４を備える。それにより、両面に施された装飾模様３ｃ，４ｃの装飾効果が、装飾模様３ｃ，４ｃが施されていない部分の透光性により高められた装飾パネル１を提供することができる。【選択図】図１
2018122530.tif 000002
【特許請求の範囲】
【請求項１】
１または２以上の透光性を有するポリカーボネート板によって構成される中央板部と、
表面に装飾模様が描かれ、前記中央板部の第１面に裏面を当接して積層される第１メッシュスクリーンと、
表面に装飾模様が描かれ、前記中央板部の第２面に裏面を当接して積層される第２メッシュスクリーンと、
を備えることを特徴とする、装飾パネル。
【請求項２】
前記中央板部は、１のポリカーボネート板によって構成されることを特徴とする、請求項１に記載の装飾パネル。
【請求項３】
前記中央板部は、２のポリカーボネート板を積層して構成されることを特徴とする、請求項１に記載の装飾パネル。
【請求項４】
前記２のポリカーボネート板は、それらの間に１００ｍｍ以下の幅の空隙を有することを特徴とする、請求項３に記載の装飾パネル。
【請求項５】
前記第１メッシュスクリーンの裏面は、黒色系の色彩により彩色されていることを特徴とする、請求項１〜４のいずれか１項に記載の装飾パネル。
【請求項６】
前記第２メッシュスクリーンの裏面は、黒色系の色彩により彩色されていることを特徴とする、請求項５に記載の装飾パネル。
【請求項７】
前記第１及び第２メッシュスクリーンは、全体の面積に対するメッシュ孔の面積比が１０％以下であることを特徴とする、請求項５又は６に記載の装飾パネル。
【請求項８】
請求項１〜７のいずれか１項に記載の装飾パネルが、前記第１メッシュスクリーンの表面を窓ガラスに接して配されることを特徴とする窓面展示具。
【発明の詳細な説明】
【技術分野】
【０００１】
本発明は、両面に装飾が施された装飾パネルに関する。
【背景技術】
【０００２】
室内又は屋外に設置されるパーティションに、あるいは窓面に、装飾や広告を表示した装飾パネルを用いることが広く行われている。装飾パネルは、板体の片面又は両面に装飾の施されたシートを貼付して作成される。ここで、板体としては、特許文献１に開示されたポリカーボネート板が、不燃性であり、かつ、十分な強度を有するので、好ましいものである。
【０００３】
しかし、ポリカーボネート板はアウトガスと呼ばれる気体（水蒸気、二酸化炭素等）を微小量ながら発生している。このため、通気性のないシートを表面に貼付するとアウトガスがポリカーボネート板とシートとの間に滞留してしまい、長期にわたって装飾性を保つことができない。
【０００４】
出願人は、窓面の装飾のために、ガラスとポリカーボネート板の間に通気性を有するメッシュスクリーンである透光性の装飾シートを挟み込んでなる窓面展示具を考案し、特許文献２に開示した。
【０００５】
しかし、特許文献２に開示された、窓面展示具の両面にメッシュスクリーンである透光性の装飾シートを貼付したのみでは、装飾性が十分でない。透光性の装飾シートを介して裏側に光が出ることで、装飾シートに施された装飾の模様が裏側に映し出される。片側の装飾の模様が他側の装飾に重なってしまう「干渉」が発生してしまうためである。
【先行技術文献】
【特許文献】
【０００６】
【特許文献１】特開２０１１−１８０４４５号公報
【特許文献２】実用新案登録３１９２３７９号公報
【発明の概要】
【発明が解決しようとする課題】
【０００７】
本発明は、透光により装飾効果が高められるとともに、表裏の装飾の模様が重なることのない装飾パネルを提供することを課題とする。
【課題を解決するための手段】
【０００８】
本発明の装飾パネルは、
１または２以上の透光性を有するポリカーボネート板によって構成される中央板部と、
表面に装飾模様が描かれ、前記中央板部の第１面に裏面を当接して積層される第１メッシュスクリーンと、
表面に装飾模様が描かれ、前記中央板部の第２面に裏面を当接して積層される第２メッシュスクリーンと、
を備えることを特徴とする。
【０００９】
この特徴によれば、アウトガスの影響をメッシュスクリーンによって防止する。そして、透光性を有するポリカーボネート板によって構成される中央板部の第１及び第２面にそれぞれ第１及び第２メッシュスクリーンが裏面を当接して積層され、第１及び第２メッシュスクリーンのそれぞれの表面に装飾模様が描かれていることから、両面に施された装飾模様の装飾効果が、装飾模様が施されていない部分の透光性により高められた装飾パネルを提供することができる。
【００１０】
本発明の装飾パネルは、
前記中央板部は、１のポリカーボネート板によって構成されることを特徴とする。
【００１１】
この特徴によれば、１枚のポリカーボネート板を用いて、装飾パネルを簡易に作成することができる。
【００１２】
本発明の装飾パネルは、
前記中央板部は、２のポリカーボネート板を積層して構成されることを特徴とする。
【００１３】
この特徴によれば、２枚のポリカーボネート板を用いて、装飾パネルを作成することができる。第１メッシュスクリーンと第２メッシュスクリーンとが別々のポリカーボネート板に当接されるので、ポリカーボネート板とメッシュスクリーンを分離することなく、合わせて交換することで第１メッシュスクリーンと第２メッシュスクリーンとの一方のみを交換して装飾を変更することができるようになる。
【００１４】
本発明の装飾パネルは、
前記２のポリカーボネート板は、それらの間に１００ｍｍ以下の幅の空隙を有することを特徴とする。
【００１５】
この特徴によれば、第１メッシュスクリーンと第２メッシュスクリーンとの間に、ポリカーボネート板と空隙とがあるので、空隙のないポリカーボネート板のみの場合に比して軽量の装飾パネルとすることができる。また、空隙を光が通るので、装飾効果も得ることができる。
【００１６】
本発明の装飾パネルは、
前記第１メッシュスクリーンの裏面は、黒色系の色彩により彩色されていることを特徴とする。
【００１７】
この特徴によれば、第１または第２メッシュスクリーンを透過した光が、黒色系の色彩により彩色された第１メッシュスクリーンの裏面により遮光されることにより、他のメッシュスクリーンに投影されて重なる模様を薄くすることができる。ここで、「黒色系の色彩」とは一定の遮光効果を有する色彩であり、明度が３以下のものを言う。
【００１８】
本発明の装飾パネルは、
前記第２メッシュスクリーンの裏面は、黒色系の色彩により彩色されていることを特徴とする。
【００１９】
この特徴によれば、第１及び第２メッシュスクリーンの両方の裏面が、黒色系の色彩により彩色されている。一方のメッシュスクリーンのメッシュ孔の透過した光の多くが他方のメッシュスクリーン（のメッシュ孔以外の部分）によって遮光される。
【００２０】
本発明の装飾パネルは、
前記第１及び第２メッシュスクリーンは、全体の面積に対するメッシュ孔の面積比が１０％以下であることを特徴とする。
【００２１】
この特徴によれば、黒色系の色彩により彩色されている部分の面積が大きく、確実に遮光して干渉を抑制することができる。
【００２２】
本発明の窓面展示具は、
本発明の装飾パネルが、前記第１メッシュスクリーンの表面を窓ガラスに接して配されることを特徴とする。
【００２３】
この特徴によれば、本発明の装飾パネルを窓面展示具として活用することができる。
【発明の効果】
【００２４】
本発明の装飾パネルによれば、透光により装飾効果が高められるとともに、表裏の装飾の模様が重なることのない装飾パネルを提供することが可能となる。
【図面の簡単な説明】
【００２５】
【図１】図１は、装飾パネルの構成を示す図である。（実施例１）
【図２】図２は、従来技術の装飾パネルにおける装飾模様の見え方を示す図である。（実施例１）
【図３】図３は、装飾パネルの構成を示す図である。（実施例２）
【発明を実施するための形態】
【００２６】
以下、本発明の実施例について説明する。
【実施例１】
【００２７】
図１に、装飾パネル１の構成を示す。図１（Ａ）は、装飾パネル１の断面構成を示し、図１（Ｂ）は後述するポリカーボネート板２の第１面２ａ側から視た平面構成、及び図１（Ｃ）はポリカーボネート板２の第２面２ｂ側から視た平面構成を示す。装飾パネル１は、透光により装飾効果が高められ、裏側の装飾の模様が重なることなく表側の装飾を映し出すパネルであり、ポリカーボネート板２並びに第１及び第２メッシュスクリーン３，４を含んで構成される。
【００２８】
ポリカーボネート板２は、透明な基板である。１枚のポリカーボネート板２が、「中央板部」となる。中央板部の他の構成については、実施例２において説明する。
【００２９】
ここで、後述する第１及び第２メッシュスクリーン３，４が積層される２つの面をそれぞれ第１面２ａ及び第２面２ｂと呼ぶ。ポリカーボネート板２は、ポリカーボネートを用いて板状に成形され、軽量であるとともに高い靭性を備える。また、ポリカーボネート板２は、透明又は白色を有し、第１面２ａ側から第２面２ｂ側に、同様に第２面２ｂ側から第１面２ａ側に光を通す。
【００３０】
第１及び第２メッシュスクリーン３，４は、メッシュ状に形成されたシート状の部材である。第１及び第２メッシュスクリーン３，４は、例えば塩化ビニルを用いて成形され、それにより透光性及び防炎性を備えるとともに汚れが付着しにくくなる。また、アウトガスをメッシュ部分に受容することで、ポリカーボネート板２からはがれてしまうことがない。ここで、メッシュ率、すなわち全体の面積に対するメッシュ孔の面積比は、１０％以下とすることが好ましい。
【００３１】
第１及び第２メッシュスクリーン３，４の表面３ａ、４ａには、例えばインクジェット印刷により、それぞれ装飾模様３ｃ，４ｃが描かれている。ここで、装飾模様３ｃ，４ｃは同じ模様であっても異なる模様であってもよい。特に異なる模様の場合に、装飾パネル１の２つの面にそれぞれ異なる模様が施されることで装飾効果が高まる。また、裏面３ｂ、４ｂは、黒色、茶色、濃紺などの黒色系の（明度３以下の）色彩により彩色されている。なお、裏面３ｂのみを黒色系の色彩で彩色し、裏面４ｂは他の彩色としてもよい。
【００３２】
装飾パネル１の組み立て方を説明する。第１メッシュスクリーン３を、その裏面３ｂをポリカーボネート板２の第１面２ａに当接して積層する。ここで、接着層（不図示）を介して第１メッシュスクリーン３をポリカーボネート板２に接着してもよい。次に、第２メッシュスクリーン４を、その裏面４ｂをポリカーボネート板２の第２面２ｂに当接して積層する。ここで、接着層（不図示）を介して第１メッシュスクリーン３をポリカーボネート板２に接着してもよい。それにより、第１及び第２メッシュスクリーン３，４の装飾模様３ｃ，４ｃがそれぞれ第１面２ａ及び第２面２ｂ側に設けられた装飾パネル１が組みあがる。
【００３３】
図２に、裏面３ｂ、４ｂを彩色しない従来技術の、装飾パネルにおける装飾模様の見え方を示す。図２（Ａ）に示すように、裏側、この場合、第２メッシュスクリーン４側から装飾パネル１に光が入った場合に、その光は、第２メッシュスクリーン４を透過し、ポリカーボネート板２を介して第１メッシュスクリーン３側に透過し、第１メッシュスクリーン３をも透過する。このため、第２メッシュスクリーン４の装飾模様４ｃの濃淡からなる模様が重なって第１メッシュスクリーン３の装飾模様３ｃが第１面２ａ側に見える。また、第１メッシュスクリーン２側から装飾パネル１に光が入った場合には、図２（Ｂ）に示すようになる。
【００３４】
これに対して、本実施例の装飾パネル１においては、図１（Ｂ）に示すように、裏側、この場合、第２メッシュスクリーン４側から装飾パネル１に光が入った場合に、その光の大半は、黒色系の色彩により彩色された第２メッシュスクリーン４の裏面４ｂにより遮光される。透過した一部の光は黒色系の色彩により彩色された第１メッシュスクリーン３の裏面３ｂにより遮光される。第２メッシュスクリーン４の装飾模様４ｃの濃淡からなる模様が重なることなく第１メッシュスクリーン３の装飾模様３ｃが第１面２ａ側に見える。また、第１メッシュスクリーン２側から装飾パネル１に光が入った場合には、図１（Ｃ）に示すようになる。
【００３５】
以上詳細に説明したように、本実施例の装飾パネル１は、透光性を有するポリカーボネート板２、表面３ａに装飾模様３ｃが描かれ、ポリカーボネート板２の第１面２ａに裏面３ｂを当接して積層される第１メッシュスクリーン３、表面４ａに装飾模様４ｃが描かれ、ポリカーボネート板２の第２面２ｂに裏面４ｂを当接して積層される第２メッシュスクリーン４を備える。それにより、両面に施された装飾模様３ｃ，４ｃの装飾効果が、装飾模様３ｃ，４ｃが施されていない部分の透光性により高められた装飾パネル１を提供することができる。アウトガスをメッシュスクリーン３、４のメッシュ部分に受容することで、メッシュスクリーン３、４がポリカーボネート板２からはがれてしまうことがない。
【００３６】
また、本実施例の装飾パネル１は、第１及び第２メッシュスクリーン３，４の裏面３ｂ，４ｂは、黒色系の色彩により彩色されている。それにより、第１及び第２メッシュスクリーン３，４側から装飾パネル１に光が入った場合に、それぞれ、その光が黒色系の色彩により彩色された第１及び第２メッシュスクリーン３，４の裏面３ｂ，４ｂにより遮光されることにより、第１及び第２メッシュスクリーン３，４の装飾模様３ｃ，４ｃが重なることなく第２及び第１メッシュスクリーン４，３の装飾模様４ｃ，３ｃを第２面２ｂ及び第１面２ａ側に映すことができる。
【００３７】
また、本実施例の装飾パネル１を、第１メッシュスクリーン３の表面３ａを窓ガラス（不図示）に接して配することで、装飾パネル１により装飾された窓面展示具（不図示）を構成することができる。
【実施例２】
【００３８】
本実施例は、２枚のポリカーボネート板を用いるものである。第１及び第２メッシュスクリーンによる装飾効果及びアウトガス受容効果、装飾模様の見え方、窓面展示具としての活用については実施例１と同様であり、繰り返しの説明を省略する。
【００３９】
図３（Ａ）及び（Ｂ）に、装飾パネル１の構成を示す。いずれも図１（Ａ）と同様の装飾パネル１の断面構成を示すものである。
【００４０】
図３（Ａ）に示す構成は、図１（Ａ）と比較すると、図１（Ａ）では１枚のポリカーボネート板２であったところ、２枚のポリカーボネート板２１及び２２である点で相違する。他は同様である。
【００４１】
ポリカーボネート板２１には第１のメッシュスクリーン３が、ポリカーボネート板２２には第２のメッシュスクリーン４が、それぞれ当接している。ここで、２枚のポリカーボネート板２１及び２２を接着等しなければ、メッシュスクリーン３の当接したポリカーボネート板２１又はメッシュスクリーン４の当接したポリカーボネート板２２を、メッシュスクリーン３又は４と共に交換することができる。第１のメッシュスクリーン３又は第を２のメッシュスクリーン４を交換することで、装飾模様のバリエーションの多様性が実現できる。
【００４２】
図３（Ｂ）に示す構成は、図３（Ａ）と比較すると、図３（Ａ）では２枚のポリカーボネート板２１及び２２が当接していたところ、それらの間に空隙２３が設けられている点で相違する。他は同様である。
【００４３】
空隙２３は、当然に光が透過し、装飾効果には影響を与えない。図３（Ａ）のものと比較すると、空隙２３に存在するポリカーボネート板の重量の分だけの軽量化が実現される。
【００４４】
また、空隙２３の幅を自由に設計できるので、重量を増やさずに装飾パネル１の厚みを調整することができる。
【００４５】
ただし、空隙２３をあまり大きくすると装飾パネル１全体の強度が低下してしまうので、空隙２３の幅（ポリカーボネート板２１と２２との間隔）を１００ｍｍ以下とすることが好ましい。
【００４６】
以上詳細に説明したように、本実施例の装飾パネル１は、２枚の透光性を有するポリカーボネート板２１及び２２を用いることにより、実施例１の装飾パネル１に、装飾模様のバリエーションの多様性、軽量化という追加のメリットを実現する。
【産業上の利用可能性】
【００４７】
透光により装飾効果が高められるとともに、表裏の装飾の模様が重なることのない装飾パネルである。展示会等において多くの装飾業者に利用されること、企業においてオフィスのパーティションに利用されること、その他の利用が考えられる。
【符号の説明】
【００４８】
１    装飾パネル
２    ポリカーボネート板（中央板部）
２１  ポリカーボネート板  
２２  ポリカーボネート板
２３  空隙
２ａ  第１面
２ｂ  第２面
３    メッシュスクリーン
３ａ  表面
３ｂ  裏面
３ｃ  装飾模様
４    メッシュスクリーン
４ａ  表面
４ｂ  裏面
４ｃ  装飾模様
【図１】
2018122530.tif 000003
【図２】
2018122530.tif 000004
【図３】
2018122530.tif 000005
【手続補正書】
【提出日】平成29年10月28日(2017.10.28)
【手続補正１】
【補正対象書類名】特許請求の範囲
【補正対象項目名】全文
【補正方法】変更
【補正の内容】
【特許請求の範囲】
【請求項１】
透光性を有する２のポリカーボネート板によって構成される中央板部と、
表面に装飾模様が描かれ、前記中央板部の第１面に裏面を当接して積層される第１メッシュスクリーンと、
表面に装飾模様が描かれ、前記中央板部の第２面に裏面を当接して積層される第２メッシュスクリーンと、
を備えることを特徴とする、装飾パネル。
【請求項２】
前記２のポリカーボネート板は、それらの間に１００ｍｍ以下の幅の空隙を有することを特徴とする、請求項１に記載の装飾パネル。
【請求項３】
前記第１メッシュスクリーンの裏面は、黒色系の色彩により彩色されていることを特徴とする、請求項１又は２に記載の装飾パネル。
【請求項４】
前記第２メッシュスクリーンの裏面は、黒色系の色彩により彩色されていることを特徴とする、請求項３に記載の装飾パネル。
【請求項５】
前記第１及び第２メッシュスクリーンは、全体の面積に対するメッシュ孔の面積比が１０％以下であることを特徴とする、請求項３又は４に記載の装飾パネル。
【請求項６】
請求項１〜５のいずれか１項に記載の装飾パネルが、前記第１メッシュスクリーンの表面を窓ガラスに接して配されることを特徴とする窓面展示具。
【手続補正書】
【提出日】平成29年11月18日(2017.11.18)
【手続補正１】
【補正対象書類名】特許請求の範囲
【補正対象項目名】請求項１
【補正方法】変更
【補正の内容】
【請求項１】
透光性を有する２枚のポリカーボネート板を積層して構成される中央板部と、
表面に装飾模様が描かれ、前記中央板部の第１面に裏面を当接して積層される第１メッシュスクリーンと、
表面に装飾模様が描かれ、前記中央板部の第２面に裏面を当接して積層される第２メッシュスクリーンと、
を備えることを特徴とする、装飾パネル。